(57)【特許請求の範囲】
【請求項１】
（１）基盤に固定した支柱部と河川の水面より上方に張り出した支持部とを有する保持手段と、
（２）前記保持手段の支持部と水質浄化手段の接合部とを連結し、前記水質浄化手段を吊り下げた状態で河川中に保持することができる、耐水性材料からなる吊り下げ手段と、
（３）それ自体単独では水中に沈むが、前記吊り下げ手段に吊り下げられることにより、通常時の水位の河川の水中に少なくとも一部が浸漬した状態で保持され、河川の水質浄化に有用な生物を保持することができ、多孔質体からなる前記水質浄化手段と、
（４）前記吊り下げ手段の途中の領域であって、通常時の水位より高く、且つ増水時の水位より低い領域に設けられ、水に浸漬すると引張力によって切断される材料からなる浸漬切断手段と、
（５）前記浸漬切断手段の周囲を、河川水面側が開放した、非透水性壁で覆った鐘状カバーを、浸漬切断手段より上方に位置する前記吊り下げ手段の途中、又は前記保持手段の支持部に取り付けてなり、河川の水位上昇により到達する水と前記浸漬切断手段とは接触させるが、気象現象による水又は人為的に散布される水と前記浸漬切断手段とは接触させない保護手段と
を含むことを特徴とする、河川の浄化装置。
【請求項２】
更に、河川の壁面に配設された支持具と、水質浄化手段とを連結する連結手段を有する請求項１に記載の装置。
【発明の詳細な説明】
【０００１】
【発明の属する技術分野】
本発明は、河川を流れる水の浄化装置に関する。特には、微生物や藻類などの河川の水質浄化に有用な生物を付着させることのできる浄化装置に関する。
【０００２】
【従来の技術】
河川を浄化する手段の１つに、各種の水中生物を利用する方法がある。河川に、微生物や藻類から魚類に至る各種の生物が生息すると、それらの生物環によって河川が自然に浄化される。
特に、都市部を流れる中小河川の多くは、河床及び河岸法面がコンクリートやコンクリートブロックなどで覆われ、自然環境から隔離されているので、水中生物による浄化作用を利用する仕組みを人為的に設けることが重要である。例えば、微生物や藻類などが付着し易いネット、不織布などからなる繊維質多孔質体、格子状プレート、又は表面積が増大するように立体成形した柱状体若しくは筒状体などを、河川内に設けることが考えられる。
しかし、いかなる装置を利用するにしても、河川内に各種装置を配設する場合には、河川が大雨などの影響で増水した際に、それらの装置が原因で流水が妨げられたり、設置個所から上流域での水位を上昇させたりして、それらの装置を設けたことにより、かえって被害を大きくすることのないように配慮する必要がある。
【０００３】
【発明が解決しようとする課題】
従って、本発明の目的は、河川の水位が通常の場合には河川の流水中に配設されて水中生物による河川浄化作用を利用することができるが、洪水等により河川の水位が上昇した場合には、流水を妨げる等の障害を起こすことのない河川の浄化装置を提供することにある。
【０００４】
【課題を解決するための手段】
前記の目的は、本発明による
（１）基盤に固定した支柱部と河川の水面より上方に張り出した支持部とを有する保持手段と、
（２）前記保持手段の支持部と水質浄化手段の接合部とを連結し、前記水質浄化手段を吊り下げた状態で河川中に保持することができる、耐水性材料からなる吊り下げ手段と、
（３）それ自体単独では水中に沈むが、前記吊り下げ手段に吊り下げられることにより、通常時の水位の河川の水中に少なくとも一部が浸漬した状態で保持され、河川の水質浄化に有用な生物を保持することができ、多孔質体からなる前記水質浄化手段と、
（４）前記吊り下げ手段の途中の領域であって、通常時の水位より高く、且つ増水時の水位より低い領域に設けられ、水に浸漬すると引張力によって切断される材料からなる浸漬切断手段と、
（５）前記浸漬切断手段の周囲を、河川水面側が開放した、非透水性壁で覆った鐘状カバーを、浸漬切断手段より上方に位置する前記吊り下げ手段の途中、又は前記保持手段の支持部に取り付けてなり、河川の水位上昇により到達する水と前記浸漬切断手段とは接触させるが、気象現象による水又は人為的に散布される水と前記浸漬切断手段とは接触させない保護手段と
を含むことを特徴とする、河川の浄化装置によって達成することができる。
【０００５】
本明細書において「河川」には、水が流れる自然又は人工的な通路がすべて含まれ、具体的には、河川、特には中小河川（好ましくは、流水路法面などの少なくとも一部分をコンクリートやコンクリートブロックなどで覆った河川）や溜り水などを挙げることができる。
また、本明細書において「通常時の水位」及び「増水時の水位」とは、本発明の浄化装置を設置する環境条件又は目的に応じて適宜設定することができる水位である。すなわち、本発明の装置が河川内に配設されていると流水が妨げられたり、設置個所から上流域の水位を上昇させたりして、かえって被害を大きくする場合の水位を「増水時の水位」とし、それ以下の水位を「通常時の水位」とする。
【０００６】
【発明の実施の形態】
本発明の浄化装置において、水質浄化手段は、それ自体単独では水中に沈み、浮くことのできないものからなり、水中に浸漬されると、河川の水質浄化に有用な生物（例えば、細菌、菌類、藻類、原生動物、微小後生動物など）を付着することができ、これらの生物により水質の浄化を実際に行う部分である。従って、通常時の水位において、少なくともその一部分が水中に浸漬するように、後述の吊り下げ手段により吊り下げて配設すればよいが、大部分又は全部が浸漬するように吊り下げて配設するのが好ましい。なお、水質浄化手段が錘を有していて、河川水中に浸漬されていてもよい。
【０００７】
水質浄化手段の形状や大きさは、この水質浄化手段を河川中に配置した場合に流水を実質的に妨害することのない構造であれば、特に制限されず、本発明の浄化装置を設置する環境条件又は目的に応じて、適宜選択することができる。例えば、河川の横断方向の一端から他端まで延びて、河川の流水や大型のゴミなどの流れを妨害する形状ではなく、川幅と比較して小さいものが好ましい。従って、例えば、球状、断面楕円球状、立方体状、直方体状、円柱状、角柱状、円錐状、角錐状など、又はそれらの組合せ、更には内部をくり抜いた中空部を外部と連絡させた形状などのいずれでもよい。また、水質浄化手段は、その内部でも生物を付着させることのできる多孔質体（特に、不織布などからなる繊維質の多孔質体）であることが好ましく、例えば、ネット又は格子状プレートから構成してもよい。
水質浄化手段の材料も、水中で生物を担持することのできるものであれば特に限定されない。また、河川の内部に設置する数も限定されず、川幅と比較して小型の水質浄化手段を複数個、河川内部に点在させるのが好ましい。
本発明の浄化装置における水質浄化手段としては、中心にのみ接合部を有し、その中心接合部から不織布繊維層が放射状に延び、かつその不織布繊維層の密度が中心接合部から周辺部に向かって連続的に徐々に密から粗になる不織布製立体成形体を用いることが特に好ましい。
【０００８】
本発明の浄化装置において、保持手段は、少なくともその一端が基盤に固定することができる支柱部と、河川の水面より上方に張り出し、後述する吊り下げ部を連結することができる支持部とを含む構造であれば特に制限されない。
支持部は、吊り下げ手段を連結することができ、吊り下げ手段を介して前記水質浄化装置を、少なくともその一部分が水中に浸漬するように、吊り下げた状態で保持することができる。支持部の最も簡単な態様は、１本又はそれ以上の直線状の棒であり、１本の棒に１個又は複数個の水質浄化装置を、前記吊り下げ手段を介して保持するか、あるいは、例えば、支柱部から放射状に延びた複数本の棒の各々に１個又は複数個の水質浄化装置を、前記吊り下げ手段を介して保持する。また、支持部の別の態様として、例えば、４本の支柱部（好ましくは河川を横断して両河岸に支柱部一対ずつを設ける）によって支えられたはしご状構造の支持部、すなわち、河川を横断する平行な２本の棒の間に、それと垂直になるように１本若しくは複数の棒を任意の間隔（好ましくは等間隔）で平行に配置した構造、又は格子状構造、すわわち、任意の間隔（好ましくは等間隔）で平行に配置した複数本の棒と、それと垂直になるように複数本の棒を任意の間隔（好ましくは等間隔）で平行に配置した構造などを挙げることができる。この格子状構造の支持部は、前記はしご状構造支持部と同様に、四角を４本の支柱部で支えても、あるいはそれ以上の数の支柱で支えてもよい。前記支持部は、直線状の棒だけでなく、曲線状やジグザグ状の棒、棒状体（例えば、パイプ）で構成した各種形状（例えば、円形又は多角形）の枠状物（フレーム）、あるいは平板状物などのいずれでもよい。
【０００９】
支柱部は、支持部を河川上に張り出した状態で保持することができる。支柱部を固定する基盤は、支持部を河川の水面より上方に張り出した状態で保持することができるものであれば特に限定されず、一般には、例えば、河岸法面若しくは河床又は好ましくは川岸等が挙げられる。吊り下げ手段及び／又は水質浄化装置の交換や水質浄化装置の配置位置（水面からの高さ）調整などを容易に行うために、河川上に張り出した支持部を河岸上に移動することができるように、支持部は回転自在であることが好ましい。また、同じ理由により、支柱部は着脱自在であることが好ましい。
【００１０】
吊り下げ手段は、水に浸漬しても引張力によって簡単には切断されない材料、特に耐水性材料からなり、前記水質浄化手段の接合部と前記保持手段の支持部とを連結し、前記水質浄化手段の自重によって河川中に吊り下げた状態で保持することができる。従って、吊り下げ手段は、一般的に、紐、鎖、又は棒、あるいはそれらの組合せからなる。吊り下げ手段は、それ１本で水質浄化装置１個を保持する態様だけでなく、２本以上で水質浄化装置１個を保持するか、あるいは１本で水質浄化装置２個以上を保持してもよい。また、保持手段の支持部に連結した１本の吊り下げ手段が、途中から複数本に分かれ、それぞれが水質浄化装置１個又はそれ以上を保持してもよく、あるいは逆に、支持部に連結した複数本の吊り下げ手段が、途中から１本にまとまって水質浄化装置１個を保持してもよい。
【００１１】
前記水質浄化手段は、前記吊り下げ手段によって河川中に吊り下げた状態で保持することができるが、回転自在連結具を設けることによって、吊り下げ手段の軸線を中心にして自在に回転することができるように取り付けてもよい。回転自在連結具は、前記保持手段に対して、吊り下げ手段の軸線を中心にしていずれの回転方向にも自在に水質浄化手段を回転することができるものであれば、特に制限されず、例えば、図６に示す回転自在連結具などが挙げられる。図６に示す回転自在連結具８は、接続端部としての接続リング８１と球状回転自在コア８２とそれらを直接に連結する軸部８６とからなる１対の内部連結部片８３と、２個の前記回転自在コア８２を内部に含んで覆う外部連結部片としての断面楕円状の中空隔離連結カバー８４とを有する。内部連結部片８３の軸部８６の回転方向径は、それに直接連結する回転自在コア８２の回転方向最大径よりも小さい。隔離連結カバー８４には、各回転自在コア８２の回転方向最大径よりも小さく、しかも各軸部８６の回転方向最大径よりも大きい開口径を有する２個の開口部８５が向かい合うように設けられている。各内部連結部片８３は、回転自在コア８２が隔離連結カバー８４の内部に位置し、軸部８６の少なくとも一部分及び接続リング８１が外部に露出するように、隔離連結カバー８４に設けた開口部８５を貫通している。各内部連結部片８３は、軸部８６の軸を中心に、回転自在コア８２と軸部８６と接続リング８１とが一体的に、いずれの回転方向にも自在に回転することができる。また、隔離連結カバー８４も、内部連結部片８３のそれぞれの回転運動とは独立して回転することができる。
【００１２】
回転自在コア８２の大きさは、回転自在コア８２と隔離連結カバー８４とが分離しないように、隔離連結カバー８４に設けた開口部８５の開口径より大きく、しかも、隔離連結カバー８４内での回転自在コア８２の滑らかな回転を妨げない大きさであればよい。回転自在コア８２の形状は、隔離連結カバー８４内で滑らかな回転を妨げない形状であればよく、例えば、球状、断面楕円球状、角柱、円柱、角錐、若しくは円錐、又はそれらの組合せ等を挙げることができる。回転自在連結具８は、接続リング８１を介して、水質浄化手段の接合部と吊り下げ手段との間、吊り下げ手段の途中の領域、及び／又は吊り下げ手段と保持手段の支持部との間に（好ましくは、水質浄化手段の接合部と吊り下げ手段との間、及び／又は吊り下げ手段と保持手段の支持部との間に）１個又は複数個設けることができる。図６に示す回転自在連結具８は、接続端部として接続リング８１を有するものであるが、接続端部の他の形状としては、例えば、紐、棒、球、円柱、又はフック等を挙げることができる。
【００１３】
河川中に吊り下げられた水質浄化手段は、回転自在連結具を設けることによって、河川の流水の抵抗を受けて、軸線を中心にして河川中で回転する。一般に、水質浄化に有用な生物の付着は、水質浄化手段の上流側の領域に偏る傾向があるが、水質浄化手段が河川中で回転することによって、水質浄化手段の全体に一様に有用生物の付着が可能となり、河川水質の浄化能力が向上する。また、上流から流れてきたごみなどが水質浄化手段に接触した場合にも、水質浄化手段が回転することによって下流へ流せるため、ごみなどが溜って河川の流れを阻害することがない。
【００１４】
浸漬切断手段は、前記吊り下げ手段の途中で、通常時の水位より高く、且つ増水時の水位より低い領域に設けられ、水に浸漬すると引張力によって切断される材料からなる。前記材料は、更に、水と非接触状態（すなわち、乾燥状態）では引張力によって切断されない性質を示す材料であることが好ましい。浸漬切断手段に用いることができる材料としては、例えば、紙又は水溶性高分子（例えば、ポリビニルアルコール（ＰＶＡ）、メチルセルロース、ヒドロキシメチルセルロース、ポリアルギン酸ソーダ、又はカルボキシメチルセルロースなど）からなる糸、紐、繊維、シート、フィルム、ネットなどを挙げることができる。これらの１種類あるいは複数種の材料を組み合わせて用いてもよい。従って、浸漬切断手段が、増水時の河川水に浸漬して湿潤し、水質浄化装置の自重や河川の流水に対する抵抗によって、湿潤した浸漬切断手段に引張力が作用すると、浸漬切断手段が破断するので、前記の吊り下げ手段は途中で切断され、吊り下げ手段の河川側先端部に設けられ、河川流に浸漬していた水質浄化手段は前記の保持手段から脱離し、河川の流水に流される。
【００１５】
浸漬切断手段の形状や大きさ等は特に制限されないが、本発明の浄化装置を設置する環境条件又は目的、特に浸漬切断手段に作用する引張力に応じて、適宜選択することができる。１個の吊り下げ手段には、浸漬切断手段を通常１箇所設ける。なお、吊り下げ手段が途中で分岐する場合には、浸漬切断手段を分岐前に１箇所設けても、あるいは分岐後の各吊り下げ手段にそれぞれ１箇所ずつ設けてもよい。また、複数本の吊り下げ手段が途中で１本にまとまる場合も、１本にまとまる前の各吊り下げ手段にそれぞれ１箇所ずつ設けても、１本にまとまった後の吊り下げ手段に１箇所設けてもよい。いずれにしても、本発明装置に保持されたすべての水質浄化手段を切り離すことができるように、浸漬切断手段をもうける必要がある。なお、「吊り下げ手段の途中の領域」には、保持部に直接に接触する領域及び水質浄化手段に直接に接触する領域も含まれる。
【００１６】
保護手段は、河川の水位上昇により到達する水と前記浸漬切断手段とは接触させるが、それ以外の水と前記浸漬切断手段とを接触させないで保護する。増水時に河川の水位上昇により到達する水以外の水には、例えば、雨、雪若しくは霧等の気象現象による水、又は人為的に散布される水等が含まれる（以下、雨等と称する）。
保護手段は、各浸漬切断手段毎に設けるか、及び／又は複数の浸漬切断手段当たり１個の保護手段を設けることができる。例えば、各浸漬切断手段毎に保護手段を設ける場合、浸漬切断手段の周囲を、下方向（河川水面側）が開放した、非透水性壁で覆った鐘状カバーを、浸漬切断手段より上方に位置する吊り下げ手段の途中、又は保持手段の支持部に取り付けて、保護手段とすることができる。この場合、雨等の内、下方向以外から浸漬切断手段に向かう水は、非透水性壁に遮られ、浸漬切断手段に接触することができない。雨等の内、下方向から人為的に散布される水については、非透水性壁の側壁を下方向に十分に延長するか、あるいは非透水性壁の側壁の下部を内側にすぼめる構造にすることによって、浸漬切断手段に実質的に接触させないようにすることができる。
複数の浸漬切断手段を１個の保護手段で保護する場合、それらの浸漬切断手段を含む空間の周囲を下方向を除き、非透水性壁で覆った鐘状カバーを、保持手段の支持部、又は吊り下げ手段の途中に取り付けることができる。
【００１７】
本発明の浄化装置においては、場合により、更に、基盤に配設した支持具と、水質浄化手段とを連結する連結手段を設けて、前記の浸漬切断手段が湿潤して切断され、保持手段から脱離しても、河川の流水に流されて消失することを防止することができる。前記支持具を配設する基盤としては、例えば、河床又は河岸法面が挙げられ、河床が好ましい。連結手段は、前記の吊り下げ手段と同様の構造及び材料からなることができ、例えば、紐、鎖若しくは棒などの他、支持具を基点として水質浄化手段を下流側に回転させる構造等を挙げることができる。前記の連結手段は、すべての水質浄化手段に設けても、一部の水質浄化手段にのみ設けてもよい。また、前記回転自在連結具を、水質浄化手段の接合部と吊り下げ手段との間、吊り下げ手段の途中の領域、及び／又は吊り下げ手段と保持手段の支持部との間に設けた場合には、支持具の接合部と連結手段との間、連結手段の途中の領域、及び／又は水質浄化手段の接合部と連結手段との間（好ましくは、支持具の接合部と連結手段との間、及び／又は水質浄化手段の接合部と連結手段との間）にも前記回転自在連結具を設けることが好ましい。
【００１８】
前記浸漬切断手段と前記保護手段とは、一緒になって、増水切断手段を構成する。増水切断手段の作用機構は以下のとおりである。
浸漬切断手段は、水に浸漬すると引張力により切断される。しかし、河川の通常時にはその水位よりも、浸漬切断手段が高い位置にあるので、浸漬切断手段が切断されることはない。また、降雨時には、保護手段によって、雨等は浸漬切断手段と接触することができないので、雨等によっても浸漬切断手段は切断されることはない。これに対して、増水によって河川の水位が上昇すると、保護手段の下方向は開放され、非透水性壁で覆われていないので、保護手段の下端部から保護手段の内部に水が進入する。浸漬切断手段は、増水時に水面下に位置するように配置されているので、増水時の河川の水位上昇による水と接触することができ、その結果、引張力により切断される。すなわち、増水切断手段は、増水によって河川の水位が上昇すると、浸漬切断手段が切断されるが、それ以外の場合（例えば、水位が通常の場合、又は降雨時等）には、浸漬切断手段の構造を維持することができる。従って、本発明の浄化装置は、洪水等により河川の水位が一時的に増加した場合に、流水を妨げる可能性のある水質浄化手段を切断して除去することができ、増水が収まった後に新たな水質浄化手段を再配設することができる。更に、前記連結手段を設けた場合には、洪水などの増水時に流水を妨げる可能性のある水質浄化手段を、増水時には河床又は河岸法面などに退避させ、増水が収まった後に回収して、再利用することができる。この場合には、回収した水質浄化手段の一部又は全部に代えて、新たな浄化手段を再配設してもよい。
【００１９】
次に、本発明浄化装置の各種態様を、添付図面に沿って説明する。
図１は、本発明の浄化装置１を河川に配置した状態を模式的に示す説明図であり、図２は、図１の浄化装置１に設けた増水切断手段の断面図である。
図１及び図２に示すように、本発明の浄化装置１は、川岸４１に着脱自在且つ回転自在に一端で固定された支柱１１ａと支持棒１１ｂとからなる保持手段１１、河川中に配置した円柱状の水中生物固定用担体１２とを含み、５個の水中生物固定用担体１２は、それぞれ、紙製ひも１６を介在させた上方耐水性ひも１３及び下方耐水性ひも１４によって、ほぼ等間隔で支持棒１１ｂに吊り下げられており、矢印Ａの方向に流れる河川の流水内に浸漬している。
【００２０】
支持棒１１ｂは河川の水面より上方に張り出し、生物固定用担体１２を吊り下げる支持体として機能する。生物固定用担体１２としては、例えば、繊維表面を微生物吸着性のある高分子やカチオン化処理剤で処理することによって、あるいは活性炭などの吸着性のある粉末を繊維表面に付着させることによって、生物吸着性を向上させた不織布を、表面積が増大するように立体加工したものを用いることができる。下方耐水性ひも１４は、生物固定用担体１２の上端と接合しており、生物固定用担体１２を河川の流水中に保持している。紙製ひも１６の位置が通常時水位より高く、且つ増水時には水面位より下に（すなわち、水中に）なるように、下方耐水性ひも１４の長さを調整する。上方耐水性ひも１３には、紙製ひも１６の周囲を覆うカバー１５が、ストッパー１７によって取り付けられている。カバー１５は、下方向が開口しているため、増水時の河川の水位上昇により到達する水はカバー１５の内部に進入し、紙製ひも１６を浸漬することができるが、それ以外の水（例えば、雨）がカバー１５の内部に進入するのを防ぐことができる。
【００２１】
本発明装置１において、紙製ひも１６は、通常時に水位より十分に高い位置にあるので、紙製ひも１６が水中に浸漬して切断されることはなく、浄化手段１２が河川水中に保持され、本発明装置１は通常の河川浄化装置として機能する。また、降雨時には、カバー１５によって、雨等は紙製ひも１６と接触することができないので、雨等によっても紙製ひも１６は切断されることはない。これに対して、増水によって河川の水位が上昇すると、カバー１５の下方向は開口しているので、カバー１５の下端からカバー１５の内部に水が進入する。下方耐水性ひも１４の長さを調整することによって、紙製ひも１６は、増水時には水面下に位置するようにしてあるので、増水時の河川の水位上昇による水と接触することができ、その結果、引張力により切断される。従って、洪水等により河川の水位が一時的に増加した場合に、流水を妨げる可能性のある生物固定用担体１２を切断することによって、流水の妨害を防ぐことができる。
【００２２】
図３に、本発明の浄化装置１の別の態様を示す。
図３の浄化装置は、図１及び図２で示す浄化装置のカバー１５に代えて、すべての紙製ひも１６を一括して覆うことができる大型カバー２１を、支持棒１１ｂに取り付けて設ける。各紙製ひも毎に保護手段を設ける必要がないため、生物固定用担体１２の数が多い場合（例えば、河川流水方向に対して平行方向及び直交方向に並べて配置する場合）に、適している。
【００２３】
図４に、本発明の浄化装置１の更に別の態様を示す。
図４の浄化装置は、図１及び図２で示す浄化装置に、更に河川の壁面（河床又は河岸法面）に配設した支持具３２と、水質浄化手段１２とを連結する連結手段（例えば、耐水性ひも３１）を設ける。図１及び図２で示す浄化装置又は図３に示す浄化装置では、増水時に切断された生物固定用担体１２が、矢印Ａで示す河川の流水により下流方向に流されて消失するので、切断された生物固定用担体１２を再利用することができない。しかし、図４に示す態様では、生物固定担体１２は、耐水性ひも３１によって、河川の壁面（河床又は河岸法面）に配設した支持具３２と連結されているので、切断された生物固定用担体１２を回収して、再利用することができる。
【００２４】
図５に、本発明の浄化装置１に用いることができる水質浄化手段の一態様である不織布製立体成形体５０を示す。不織布製立体成形体５０は、例えば、図５に示すように、その中心にのみ接合部５１を有し、その中心接合部５１から不織布繊維層５２が放射状に延び、かつその不織布繊維層５２の密度が中心接合部５１から周辺部５３に向かって連続的に徐々に密から粗に変化する。
この不織布製立体成形体は、例えば、特開平６−２１２５４４号及び特開平６−２５７０５０号各公報に記載されているとおり、一枚又は複数枚積層の不織布シートに、間隔をあけて線状（実線若しくは破線）又は点状に、接合部を、例えば、シール手段（例えば、熱シール、超音波シール又は高周波シール）、接着手段（例えば、接着剤による接着）又は縫合手段（例えば、ミシンなどによる縫製）により形成して圧縮部を設け、これら線状又は点状の接合圧縮部と接合圧縮部との間で不織布シートを切断することにより製造することができる。従って、こうして得られた不織布製立体成形体では、接合部で強く圧縮された不織布層がその接合部から離れるに従って圧縮から開放され、密度が徐々に粗になる。図５には、徐々に密度が密から粗になる不織布層５２と共に、それらの間で徐々に間隔が広くなる層間間隙５４が形成されている成形体を示すが、不織布シート原料の厚みと接合部間隔とを調整することにより、層間間隙５４を有さずに不織布層のみからなる完全な円柱体とすることもできる。また、球状（接合部が球の中心点の場合）の成形体を得ることもできる。また、これらの円柱状又は球状の成形体を切断などして更に別の形状に代えて用いてもよい。
【００２５】
上記の不織布製立体成形体５０に用いる不織布繊維層５２を構成する繊維としては、例えば、ポリオレフィン、ポリエステル、ポリアミド、ポリ塩化ビニル、ポリ塩化ビニリデンなどの熱可塑性樹脂からなる繊維、又はこれらの熱可塑性樹脂を含む複合繊維を用いることが望ましく、特に中心接合部５１を熱シールなどのシール手段により形成する場合には、これらの繊維の融着を利用できるのでよい。また、特に不織布製立体成形体５０に親水性あるいは微生物などの栄養源として炭素源を付与する要求がある場合には、ビスコースレーヨン、綿などの繊維が含まれていてもよい。これらの繊維の繊度は５デニール以上、より好ましくは１０デニール以上であることが望ましく、繊度が小さすぎると目詰りを生じやすくなる。また、中心接合部５１を形成する前の不織布シートの見かけ密度は０．２ｇ／ｃｍ３  以下であることが望ましく、見かけ密度がこれより大きくなると、目詰りが起きやすくなる。不織布シートの形成手段は特に限定されず、繊維接着不織布、バインダー接着不織布、機械的絡合不織布などが用いられる。また、不織布シートの積層数は、２〜１０枚、より好ましくは３〜６枚（不織布繊維層の数は中心接合部から数えて倍の６〜１２枚になる）が適当であり、不織布シートの厚みは２〜２０ｍｍ、より好ましくは３〜１５ｍｍが適している。なお、不織布繊維層５２は、ポリビニルピリジン−スチレン共重合体四級塩化物、スチリルピリジニウム基を持つポリビニルアルコール、ポリエチルポリアミン、ポリエチレンイミン、ポリアミド−エピクロルヒドリン、ポリアリルアミン、ポリカチオン−アクリル共重合体、ポリピペリジン共重合体などの微生物吸着性のあるポリマーやカチオン化処理剤で処理することによって、あるいは活性炭や珪藻土などの多孔質粉体を付着させることによって、微生物吸着能力が高められていることが望ましい。特に、多孔質粉体を付着させた場合、吸着力が高まるだけでなく、繊維を覆うことによって、紫外線などによる繊維の劣化を防ぐことができるので好ましい。
【００２６】
【発明の効果】
本発明の浄化装置は、通常時には河川の流水内に保持されて浄化装置として機能し、洪水等により、河川の水位が上昇した場合には、切断消失して流水の妨害を防ぐことができる。更に、水質浄化手段を連結手段によって河床などにつなげておくと、洪水が治まった後に回収して、再利用することができる。
【図面の簡単な説明】
【図１】本発明の浄化装置の一態様を河川に配設した状態を模式的に示す斜視図である。
【図２】図１の浄化装置に用いる増水切断手段の断面図である。
【図３】本発明の浄化装置の別の態様を河川に配設した状態を模式的に示す斜視図である。
【図４】本発明の浄化装置の更に別の態様の部分側面図である。
【図５】本発明の浄化装置に用いる水質浄化手段の一態様の斜視図である。
【図６】本発明の浄化装置に用いることのできる回転自在連結具をその回転軸を含む面で切断した断面図である。
【符号の説明】
１・・浄化装置；８・・回転自在連結具；１１・・保持手段；
１２・・生物固定用担体；
１３・・上方耐水性ひも；１４・・下方耐水性ひも；１５・・カバー；
１６・・紙製ひも；１７・・ストッパー；２１・・大型カバー；
３１・・耐水性ひも；３２・・支持具；４１・・川岸；
５０・・不織布製立体成形体；５１・・中心接合部；５２・・不織布繊維層；
５３・・周辺部；５４・・層間間隙；
８１・・接続リング；８２・・回転自在コア；８３・・内部連結部片；
８４・・隔離連結カバー；８５・・開口部；８６・・軸部；
【図１】
0003626263.tif 000002
【図２】
0003626263.tif 000003
【図３】
0003626263.tif 000004
【図４】
0003626263.tif 000005
【図５】
0003626263.tif 000006
【図６】
0003626263.tif 000007